(57)【要約】      （修正有）【課題】取っ手付きのスタンディングパウチであって、手指を挿入孔に挿入して取っ手を握ったとき包装材料端面が手指に当ることがない取っ手付きのスタンディングパウチを提供すること。【解決手段】表裏のフィルムＡ，Ｂを互いに重ねると共に、二つ折りした底部用フィルムＣを前記表裏のフィルムの間に介在させ、両側辺及び底部をヒートシールして構成されたスタンディングパウチ１００であって、前記両側辺シール領域１，２のうち少なくとも一方の側辺シール領域２の内部に上下方向に伸びるスリット線５が設けられており、このスリット線を開くことによって手指を挿入する挿入孔が形成される取っ手付きスタンディングパウチにおいて、前記スリット線が上下方向に伸びる波線部分を有すると共に、この波線部分で二分された前記側辺シール領域のうち、スタンディングパウチ外側に位置する領域に、上下方向に伸びる外側ハーフカット線６１を有する。【選択図】図１
2018144820.tif 000002
【特許請求の範囲】
【請求項１】
表裏のフィルムを互いに重ねると共に、二つ折りした底部用フィルムを前記表裏のフィルムの間に介在させ、両側辺及び底部をヒートシールして構成されたスタンディングパウチであって、前記両側辺シール領域のうち少なくとも一方の側辺シール領域の内部に上下方向に伸びるスリット線が設けられており、このスリット線を開くことによって手指を挿入する挿入孔が形成される取っ手付きスタンディングパウチにおいて、
前記スリット線が上下方向に伸びる波線部分を有すると共に、この波線部分で二分された前記側辺シール領域のうち、スタンディングパウチ外側に位置する領域に、上下方向に伸びる外側ハーフカット線を有することを特徴とする取っ手付きスタンディングパウチ。
【請求項２】
前記スリット線が、前記波線部分に加えて、その端部から前記外側ハーフカット線に向けて伸びる折り曲げ補助部分を有することを特徴とする請求項１に記載の取っ手付きスタンディングパウチ。
【請求項３】
波線部分の両端部に前記折り曲げ補助部分を有することを特徴とする請求項１又は２に記載の取っ手付きスタンディングパウチ。
【請求項４】
前記折り曲げ補助部分が前記外側ハーフカット線に達していることを特徴とする請求項１〜３のいずれかに記載の取っ手付きスタンディングパウチ。
【請求項５】
前記折り曲げ補助部分が、前記外側ハーフカット線に垂直な方向に対して３０度以内の方向に伸びていることを特徴とする請求項１〜４のいずれかに記載の取っ手付きスタンディングパウチ。
【請求項６】
スリット線の前記波線部分で二分された前記側辺シール領域のうち、スタンディングパウチ内側に位置する領域に、上下方向に伸びる内側ハーフカット線を有することを特徴とする請求項１〜６のいずれかに記載の取っ手付きスタンディングパウチ。
【請求項７】
前記側辺シール領域が幅広のシール領域と幅狭のシール領域とを備えて構成されており、その幅広のシール領域に前記スリット線が配置されていることを特徴とする請求項１〜６のいずれかに記載の取っ手付きスタンディングパウチ。
【請求項８】
前記幅広のシール領域の上下方向の長さが３０〜３００ｍｍであることを特徴とする請求項７に記載の取っ手付きスタンディングパウチ。
【請求項９】
スリット線の前記波線部分の上下方向の長さが２０〜２５０ｍｍであることを特徴とする請求項８に記載の取っ手付きスタンディングパウチ。
【発明の詳細な説明】
【技術分野】
【０００１】
本発明は取っ手付きスタンディングパウチに関する。
【背景技術】
【０００２】
スタンディングパウチは、表裏のフィルムを互いに重ねると共に、二つ折りした底部用フィルムを前記表裏のフィルムの間に介在させ、両側辺及び底部をヒートシールして構成されたものである。このようなスタンディングパウチは周知であり、二つ折りした底部用フィルムをガゼット状に開くことにより大量の内容物を収容できることから、各種液体製品を収容密封するパウチとして広く使用されている。
【０００３】
このスタンディングパウチの側辺シール領域に打ち抜き孔又はスリット線を設けて、取っ手としたパウチもよく知られている（特許文献１〜５）。しかしながら、いずれのパウチにおいても、打ち抜き孔あるいはスリット線に包装材料の端面が露出しており、手指を挿入して取っ手を掴むと、この包装材料端面が手指に当たる。前述のように、大量の内容物を収容するパウチは、内容物の重量に耐えるため、高強度で厚手の包装材料を使用している。そして、このような高強度で厚手の包装材料の端面が当ると、その手指を痛めることがあるという問題を抱えていた。
【０００４】
例えば特許文献１，２は側辺シール領域に打ち抜き孔を設け、この打ち抜き孔に手指を挿入して取っ手を掴むパウチを提案しているが、このパウチにおいては打ち抜き孔の周囲に包装材料端面が露出している。
【０００５】
また、特許文献３，４は側辺シール領域にスリット線を設け、このスリット線を開いて手指を挿入して取っ手を掴むパウチを提案しているが、このパウチにおいても、スリット線の周囲に包装材料端面が露出している。
【０００６】
一方、特許文献５は、曲線状のスリット線を設け、この曲線状のスリット線を開いて手指を挿入するパウチを提案している。このパウチによれば、曲線状のスリット線によって包装材料を折り曲げて挿入孔を形成し、この挿入孔に手指を挿入するため、手指には包装材料の折り曲げ線が当接するだけで、包装材料端面が手指に当ることはない。しかしながら、前述のように包装材料は高強度で厚いものが使用されているため、十分に折り曲げられるとは限っておらず、その端面が手指に当ることがあった。
【先行技術文献】
【特許文献】
【０００７】
【特許文献１】実開平０６−０４９３４１号公報
【特許文献２】登録実用新案第３１３０２３９号公報
【特許文献３】実開平０５−０２６８４４号公報
【特許文献４】特開２００７−３３１７６７号公報
【特許文献５】特開２００４−３５９２５９号公報
【発明の概要】
【発明が解決しようとする課題】
【０００８】
本発明は、以上のような事情に基づいてなされたもので、取っ手付きのスタンディングパウチであって、手指を挿入孔に挿入して取っ手を握ったとき包装材料端面が手指に当ることがない取っ手付きのスタンディングパウチを提供することを目的とする。
【課題を解決するための手段】
【０００９】
すなわち、請求項１に記載の発明は、表裏のフィルムを互いに重ねると共に、二つ折りした底部用フィルムを前記表裏のフィルムの間に介在させ、両側辺及び底部をヒートシールして構成されたスタンディングパウチであって、前記両側辺シール領域のうち少なくとも一方の側辺シール領域の内部に上下方向に伸びるスリット線が設けられており、このスリット線を開くことによって手指を挿入する挿入孔が形成される取っ手付きスタンディングパウチにおいて、
前記スリット線が上下方向に伸びる波線部分を有すると共に、この波線部分で二分された前記側辺シール領域のうち、スタンディングパウチ外側に位置する領域に、上下方向に伸びる外側ハーフカット線を有することを特徴とする取っ手付きスタンディングパウチである。
【００１０】
次に、請求項２に記載の発明は、前記スリット線が、前記波線部分に加えて、その端部から前記外側ハーフカット線に向けて伸びる折り曲げ補助部分を有することを特徴とする請求項１に記載の取っ手付きスタンディングパウチである。
【００１１】
また、請求項３に記載の発明は、波線部分の両端部に前記折り曲げ補助部分を有することを特徴とする請求項１又は２に記載の取っ手付きスタンディングパウチである。
【００１２】
また、請求項４に記載の発明は、前記折り曲げ補助部分が前記外側ハーフカット線に達していることを特徴とする請求項１〜３のいずれかに記載の取っ手付きスタンディングパウチである。
【００１３】
また、請求項５に記載の発明は、前記折り曲げ補助部分が、前記外側ハーフカット線に垂直な方向に対して３０度以内の方向に伸びていることを特徴とする請求項１〜４のいずれかに記載の取っ手付きスタンディングパウチである。
【００１４】
また、請求項６に記載の発明は、スリット線の前記波線部分で二分された前記側辺シール領域のうち、スタンディングパウチ内側に位置する領域に、上下方向に伸びる内側ハーフカット線を有することを特徴とする請求項１〜６のいずれかに記載の取っ手付きスタンディングパウチである。
【００１５】
また、請求項７に記載の発明は、前記側辺シール領域が幅広のシール領域と幅狭のシール領域とを備えて構成されており、その幅広のシール領域に前記スリット線が配置されていることを特徴とする請求項１〜６のいずれかに記載の取っ手付きスタンディングパウチである。
【００１６】
また、請求項８に記載の発明は、前記幅広のシール領域の上下方向の長さが３０〜３００ｍｍであることを特徴とする請求項７に記載の取っ手付きスタンディングパウチである。
【００１７】
また、請求項９に記載の発明は、スリット線の前記波線部分の上下方向の長さが２０〜２５０ｍｍであることを特徴とする請求項８に記載の取っ手付きスタンディングパウチである。
【発明の効果】
【００１８】
本発明においては、スリット線が上下方向に伸びる波線部分を有し、かつ、そのスタンディングパウチ外側に位置する領域に、上下方向に伸びる外側ハーフカット線を有するから、この外側ハーフカット線で折り曲げてスリット線を開き、手指を挿入する挿入孔を形成することができる。しかも、このように折り曲げ位置に外側ハーフカット線が配置され
ているから、容易かつ確実に折り曲げることができ、このため、手指を挿入する挿入孔に包装材料端面が露出することがない。
【図面の簡単な説明】
【００１９】
【図１】図１は本発明のスタンディングパウチの具体例を示す平面図である。
【図２】図２は本発明のスタンディングパウチの具体例の要部拡大図である。
【発明を実施するための形態】
【００２０】
以下、図面を参照して本発明の具体例を説明する。図面の図１は本発明のスタンディングパウチの具体例を示す平面図であり、図２はその取っ手周辺を拡大して示す要部拡大図である。
【００２１】
このスタンディングパウチ１００は三枚のフィルムで構成されている。すなわち、表側フィルムＡ、裏側フィルムＢ、及び底部用フィルムＣである。そして、表側フィルムＡと裏側フィルムＢとは互いに重ね合わされている。また、底部用フィルムＣは二つ折りされて、その二つ折り線が上方に位置するように表側フィルムＡと裏側フィルムＢとの間に介在させている。
【００２２】
そして、これら三枚のフィルムＡ，Ｂ，Ｃはこのような重ね合わせ状態のまま、所定の位置でヒートシールされて一体化して、スタンディングパウチ１００を構成している。
【００２３】
例えば、左側辺においては、底部用フィルムＣの存在しない位置で表側フィルムＡと裏側フィルムＢとがヒートシールされており、底部用フィルムＣが介在した位置では、表側フィルムＡと底部用フィルムＣ、裏側フィルムＢと底部用フィルムＣとが、それぞれ、ヒートシールされて、これらシール領域の全体で左側辺シール領域１を構成している。
【００２４】
なお、この例では、左側辺の上部に注出ノズル４が設けられており、このため、左側辺シール領域１はその上部でスタンディングパウチ１００内側に向けて屈曲して、注出ノズル用下側シール線４１を構成している。
【００２５】
また、右側辺においても、同様に、底部用フィルムＣの存在しない位置で表側フィルムＡと裏側フィルムＢとがヒートシールされており、底部用フィルムＣが介在した位置では、表側フィルムＡと底部用フィルムＣ、裏側フィルムＢと底部用フィルムＣとが、それぞれ、ヒートシールされて、これらシール領域の全体で右側辺シール領域２を構成している。この右側辺シール領域２はその上側が幅広に構成され、下側が幅狭に構成されている。これら幅広のシール領域２１と幅狭のシール領域２２のうち幅広のシール領域２１は、後述するように、その内部にスリット線５を設けて、取っ手を形成する部位である。
【００２６】
また、底辺においては、底部用フィルムＣと表側フィルムＡ、底部用フィルムＣと裏側フィルムＢとが、それぞれ、ヒートシールされて、底辺シール領域３が形成されている。そして、この底辺シール領域３と左側辺シール領域１との交点又はその近傍では、図示しない切り欠け又は貫通孔が底部用フィルムＣに設けられており、この切り欠け又は貫通孔を通して表側フィルムＡと裏側フィルムＢとがヒートシールされている。なお、底辺シール領域３と右側辺シール領域２との交点又はその近傍においても、同様に、図示しない切り欠け又は貫通孔を通して表側フィルムＡと裏側フィルムＢとがヒートシールされている。
【００２７】
注出ノズル４はスタンディングパウチ１００の左上隅に設けられており、この注出ノズル４は、注出ノズル用上側シール線４２と前記注出ノズル用下側シール線４１とに挟まれた注出経路で構成されている。この注出ノズル４は、その先端が先端シール領域４３で閉
鎖されている。そして、注出ノズル用上側シール線４２には切断用ノッチ４４が設けられており、この切断用ノッチ４４から表側フィルムＡと裏側フィルムＢの両者を切断して先端シール領域４３を除去することにより、スタンディングパウチ１００を開封して、内容物を注出することができる。
【００２８】
ところで、幅広のシール領域２１の内部には、スリット線５と二本のハーフカット線６１，６２とが設けられている。二本のハーフカット線６１，６２は、スリット線５を挟んでその両側に、それぞれ一本ずつ配置されており、これら二本のハーフカット線６１，６２は、いずれも、スリット線５に略平行で、スタンディングパウチ１００の上下方向に伸びている。
【００２９】
この点について図２を参照して詳しく説明すると、これらスリット線５及び二本のハーフカット線６１，６２を横断して左右に伸びる線ｘ−ｘで幅広のシール領域２１を切断した場合、このシール領域２１は、スリット線５によって２つの領域に区分される。すなわち、スリット線５よりスタンディングパウチ１００の外側に位置する外側シール領域２１１と、内側に位置する内側シール領域２１２である。そして、一本のハーフカット線（外側ハーフカット線）６１は外側シール領域２１１に位置しており、他方のハーフカット線（内側ハーフカット線）６２は内側シール領域２１２に位置する。
【００３０】
なお、このため、図示のように、外側シール領域２１１は、外側ハーフカット線によって更に２つの領域に区分される。すなわち、スリット線５と外側ハーフカット線６１との間に位置する領域２１１ａと、外側ハーフカット線６１よりスタンディングパウチ１００の外側に位置する領域２１１ｂである。また、同様に、内側シール領域２１２は、内側ハーフカット線６２によって２つの領域に区分される。すなわち、スリット線５と内側ハーフカット線６２との間に位置する領域２１２ａと、内側ハーフカット線６２よりスタンディングパウチ１００の内側に位置する領域２１２ｂである。
【００３１】
スリット線５は３つの部分に分けることができる。まず、スリット線５の中央に位置する波線部分５ａである。この波線部分５ａはスタンディングパウチ１００の上下方向に伸びる部分である。次に、この波線部分５ａの両端から外側ハーフカット線６１に向けて伸びる部分（折り曲げ補助部分）５ｂ，５ｂである。この折り曲げ補助部分５ｂ，５ｂは、いずれも、外側ハーフカット線６１に垂直な方向に対して３０度以内の方向に伸びている。望ましくは、外側ハーフカット線６１に垂直な方向である。そして、この折り曲げ補助部分５ｂ，５ｂは外側ハーフカット線に達している。このため、スリット線５と外側ハーフカット線６１との間のシール領域２１１ａは、波線部分５ａ、両折り曲げ補助部分５ｂ，５ｂ、及び外側ハーフカット線６１に囲まれている。
【００３２】
スリット線５を開いて手指を挿入する挿入孔を形成する際には、外側ハーフカット線６１を折り曲げ線として、シール領域２１１ａを折り曲げてシール領域２１１ｂに重ね合わせると共に、内側ハーフカット線６２を折り曲げ線としてシール領域２１２ａを折り曲げればよい。なお、前述のように、シール領域２１１ａは、波線部分５ａ、両折り曲げ補助部分５ｂ，５ｂ、及び外側ハーフカット線６１に囲まれているため、外側ハーフカット線６１で容易かつ確実に折り曲げることができる。このとき、表裏のフィルムＡ，Ｂが高強度で厚手の包装材料で構成されている場合であっても、容易かつ確実に外側ハーフカット線６１で折り曲げることが可能なのである。また、シール領域２１２ａとシール領域２１２ｂとの間にも内側ハーフカット線６２が設けられているので、この内側ハーフカット線６２で折り曲げることも容易である。
【００３３】
そして、こうして形成された挿入孔に手指を挿入し、外側ハーフカット線６１で二つ折りされた外側シール領域２１１を取っ手として把持することができる。そして、このよう
に外側ハーフカット線６１で折り曲げて形成された挿入孔には、表裏のフィルムＡ，Ｂの端面が露出していないため、手指を痛めることもないのである。
【００３４】
また、このように手指で握った際、スリット線５が波線部分５ａを主要な構成部分としているため、手指に対する当りが緩やかとなり、その負担も大幅に軽減できる。もちろん、デザイン性も豊かである。
【００３５】
ところで、このように挿入孔に手指を挿入して取っ手を握るためには、スリット線５の長さ、すなわち、波線部分５ａの上下方向の長さ５ｙが十分でなくてはならない。この長さ５ｙが２０ｍｍ以上であれば、第１指（親指）を挿入して取っ手を握ることが可能である。また、十分に長ければ第２指（人指し指）〜第５指（小指）の４本の指を挿入することができるが、この場合でも２５０ｍｍの長さがあれば十分である。そして、このため、幅広のシール領域２１の上下方向の長さ２１ｙは３０〜３００ｍｍで十分である。
【００３６】
次に、本発明に係る表裏のフィルムＡ，Ｂ及び底部用フィルムＣとしては、任意のフィルムが使用できるが、シーラント層を基材フィルムに積層した多層構造のフィルムが好適である。基材フィルムとしては、例えば、プラスチックフィルム、あるいはこれに金属や無機物を蒸着したフィルムを使用できる。プラスチックフィルムとしては、ポリオレフィンフィルム、ポリ塩化ビニルフィルム、ポリエステルフィルム、ポリアミドフィルム等を例示できる。その層構成中に紙や金属箔を含むものであってもよい。また、シーラント層としては、例えば、ポリエチレン樹脂、直鎖状ポリエチレン樹脂、無延伸ポリプロピレン樹脂等を使用できる。
【００３７】
また、スリット線５は、切断刃を使用して機械的に表裏のフィルムＡ，Ｂを切断することによって形成することができる。
【００３８】
ハーフカット線６１，６２はレーザー加工によって可能である。例えば、表裏のフィルムＡ，Ｂが基材フィルムとシーラント層とを積層した多層構造のフィルムから成り、その基材フィルムが、外側から、ポリエステルフィルム、アルミニウム箔及びポリアミドフィルムを積層した三層構造を有する場合、外側のポリエステルフィルムからレーザー光を照射することにより、外側のポリエステルフィルムのみを選択して切断して、ハーフカット線６１，６２を形成することができる。レーザー光はアルミニウム箔によって反射されるから、このアルミニウム箔とポリアミドフィルムとはレーザー光照射による損傷を受けないのである。また、基材フィルムが、外側から、ポリアミドフィルムとアルミニウム蒸着したポリエステルフィルムとを積層した二層構造を有する場合にも、外側のポリアミドフィルムからレーザー光を照射することにより、外側のポリアミドフィルムのみを選択して切断して、ハーフカット線６１，６２を形成することができる。レーザー光はアルミニウム蒸着膜によって反射されるから、このアルミニウム蒸着膜とポリエステルフィルムとはレーザー光照射による損傷を受けないのである。
【００３９】
なお、本発明のスタンディングパウチは、任意の内容物を収容することができるが、液体内容物に適している。例えば、シャンプー、リンス、液体洗剤、柔軟剤等のトイレタリー用品である。また、飲料等であってもよい。また、ゲル状の製品や粉体、あるいは固体の内容物を収容することも可能である。
【符号の説明】
【００４０】
１００：スタンディングパウチ
１：左側辺シール領域
２：右側辺シール領域
２１：幅広のシール領域    ２１ｙ：幅広のシール領域の上下方向の長さ
２１１：外側シール領域    ２１１ａ：スリット線と外側ハーフカット線との間に位置する領域    ２１１ｂ：外側ハーフカット線よりスタンディングパウチの外側に位置する領域
２１２：内側シール領域    ２１２ａ：スリット線と内側ハーフカット線との間に位置する領域    ２１２ｂ：内側ハーフカット線よりスタンディングパウチの内側に位置する領域
２２：幅狭のシール領域
３：底辺シール領域
４：注出ノズル    ４１：注出ノズル用下側シール線    ４２：注出ノズル用上側シール線    ４３：先端シール領域    ４４：切断用ノッチ
５：スリット線    ５ａ：波線部分    ５ｂ：折り曲げ補助部分    ５ｙ：波線部分の上下方向の長さ
６１：外側ハーフカット線    ６２：内側ハーフカット線
Ａ：表側フィルム    Ｂ：裏側フィルム    Ｃ：底部用フィルム
【図１】
2018144820.tif 000003
【図２】
2018144820.tif 000004